【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
複数のユーザーに共通の画像を視認させる単一の共通画面を有する画像表示システムであって、
画像表示部と、前記画像表示部において表示される画像を用いて供給画像を生成し、外部へと送信する画像送信部とを有する複数の画像供給装置と、
前記共通画面を１つ又は複数の画面領域に分割して、前記複数の画像供給装置のそれぞれから供給された前記供給画像を、前記１つ又は複数の画面領域に表示可能な画像表示装置と、
を備え、
前記複数の画像供給装置はそれぞれ、前記画像表示部に、ユーザーが前記共通画面における表示状態を操作できる共通画面操作用画像を表示するとともに、前記共通画面操作用画像を除いた前記画像表示部の表示画像を、前記供給画像として、前記画像表示装置に供給し、
前記画像表示装置は、前記複数の画像供給装置のそれぞれにおける前記ユーザーによる前記共通画面操作用画像を介した操作に応じて、前記共通画面の表示状態を変更する、画像表示システム。
【請求項２】
請求項１記載の画像表示システムであって、
前記共通画面操作用画像は、前記共通画面における前記１つ又は複数の画面領域の構成を示す分割レイアウト枠を有するレイアウト画像を含み、
前記分割レイアウト枠は、前記ユーザーの前記共通画面操作用画像上における操作により変更することができ、
前記画像表示装置は、前記分割レイアウト枠の変更に従って、前記共通画面における前記１つ又は複数の画面領域の構成を変更して表示する、画像表示システム。
【請求項３】
請求項２記載の画像表示システムであって、
前記画像表示装置は、前記ユーザーが、前記共通画面操作用画像上において、
（ｉ）前記分割レイアウト枠の境界を、前記レイアウト枠内の領域にドラッグする操作をしたときに、新たな分割レイアウト枠を生成し、
（ｉｉ）前記分割レイアウト枠同士の間に存在する境界を、前記レイアウト画像の外側へとドラッグする操作をしたときに、前記分割レイアウト枠を消去する、画像表示システム。
【請求項４】
請求項２または請求項３に記載の画像表示システムであって、
前記共通画面操作用画像は、前記複数の画像供給装置から供給された前記供給画像をそれぞれ識別するための識別画像の一覧を表示する識別画像一覧領域を有する、画像表示システム。
【請求項５】
請求項４に記載の画像表示システムであって、
前記画像表示装置は、前記共通画面操作用画像の有する前記識別画像一覧領域において前記ユーザーが選択した前記識別画像によって識別される前記供給画像を表示する、画像表示システム。
【請求項６】
請求項５に記載の画像表示システムであって、
前記画像表示装置は、前記ユーザーが、前記識別画像一覧領域から選択した前記識別画像を、前記分割レイアウト枠内にドラッグアンドドロップしたときに、前記識別画像によって識別される前記供給画像を、前記識別画像がドラッグアンドドロップされた前記分割レイアウト枠に対応する前記共通画面における画面領域に表示する、画像表示システム。
【請求項７】
請求項４ないし請求項６のいずれか一項に記載の画像表示システムであって、
前記画像供給装置は、前記ユーザーが、前記識別画像一覧領域から選択した前記識別画像を前記分割レイアウト枠内の外周縁に片寄った位置にドラッグアンドドロップしたときに、前記片寄った位置に対応する領域に、前記識別画像によって識別される前記供給画像のための新たな分割レイアウト枠を生成し、
前記画像表示装置は、前記共通画面の前記新たな分割レイアウト枠に対応する画面領域に、前記識別画像によって識別される前記供給画像を表示する、画像表示システム。
【請求項８】
請求項１ないし請求項７のいずれか一項に記載の画像表示システムであって、
前記共通画面操作用画像は、前記共通画面における分割数を切り替えるための切替スイッチ画像を含み、
前記画像表示装置は、前記共通画面を、前記ユーザーが前記切替スイッチ画像によって指定した分割数で分割する、画像表示システム。
【請求項９】
請求項１ないし請求項８のいずれか一項に記載の画像表示装置であって、
前記共通画面操作用画像には、前記供給画像のサムネール画像が表示される、画像表示システム。
【請求項１０】
請求項９に記載の画像表示システムであって、
前記複数の画像供給装置はそれぞれ、前記供給画像の前記サムネール画像を生成して、前記画像表示装置に送信し、
前記画像表示装置は、受信した前記サムネール画像を、前記複数の画像表示装置のそれぞれに送信する、画像表示システム。
【請求項１１】
複数の画像供給装置のそれぞれから供給される供給画像を、画像表示装置を介して、１つ又は複数の画面領域に分割された単一の共通画面に表示可能な画像表示システムにおける画像表示方法であって、
（ａ）前記複数の画像供給装置のそれぞれの画像表示部に、ユーザーが前記共通画面の分割状態を操作するための共通画面操作用画像を表示する工程と、
（ｂ）前記複数の画像供給装置のそれぞれにおいて、前記共通画面操作用画像を除いた前記画像表示部に表示された画像を用いて前記供給画像を生成し、前記画像表示装置に供給する工程と、
（ｃ）前記画像表示装置において、前記複数の画像供給装置のそれぞれにおける前記ユーザーによる前記共通画面操作用画像を介した操作に応じて、前記共通画面の表示状態を変更する工程と、
を備える、画像表示方法。
【請求項１２】
画像表示部と、前記画像表示部において表示される画像を用いて供給画像を生成し、外部へと送信する画像送信部とを有する複数の画像供給装置からの前記供給画像を、複数のユーザーに共通の画像を視認させるための単一の共通画面に表示可能な画像表示装置であって、
前記複数の画像供給装置のそれぞれの前記画像表示部に表示された共通画面操作用画像を介したユーザーによる操作に応じて、前記共通画面の表示状態を変更するとともに、
前記共通画面を１つ又は複数の画面領域に分割して、前記共通画面操作用画像を除いた前記画像表示部の表示画像を表示する、画像表示装置。
【請求項１３】
複数のユーザーに共通の画像を視認させる単一の共通画面を、前記複数のユーザーのうちの少なくとも一人のユーザーの操作に応じて、１つ又は複数の画面領域に分割して、１つ又は複数の画像を表示する画像表示装置に対して、前記１つ又は複数の画面領域の中の１つの画面領域に表示させるための画像を供給する画像供給装置であって、
画像表示部と、
前記画像表示部に、ユーザーが前記共通画面における表示状態を操作するための共通画面操作用画像を表示させ、前記共通画面操作用画像を介して前記ユーザーの操作を受け付ける操作受付部と、
前記画像表示部の表示画像から、前記共通画面操作用画像を除いた画像を供給画像として生成する画像生成部と、
前記ユーザーの操作と、前記供給画像と、を前記画像表示装置に送信する送信部と、
を備える、画像供給装置。
【請求項１４】
複数のユーザーに共通の画像を視認させる単一の共通画面を、前記複数のユーザーのうちの少なくとも一人のユーザーの操作に応じて、１つ又は複数の画面領域に分割し、１つ又は複数の画像を表示する画像表示装置に対して、前記１つ又は複数の画面領域の中の１つの画面領域に表示させるための画像を供給する画像供給装置を制御するためのプログラムであって、
前記画像供給装置の画像表示部に画像を表示させる機能と、
前記画像表示部に、ユーザーが前記共通画面における表示状態を操作するための共通画面操作用画像を表示させ、前記共通画面操作用画像を介して前記ユーザーの操作を受け付ける機能と、
前記画像表示部の表示画像から、前記共通画面操作用画像を除いた画像を供給画像として生成する機能と、
前記ユーザーの操作と、前記供給画像と、を前記画像表示装置に送信する機能と、
を、前記画像供給装置が備えるコンピュータに実現させるためのプログラム。
【手続補正２】
【補正対象書類名】明細書
【補正対象項目名】発明の名称
【補正方法】変更
【補正の内容】
【発明の名称】画像表示システム、画像表示装置、画像表示方法、画像供給装置、およびプログラム